(57)【特許請求の範囲】
【請求項１】
平面視簀の子状に形成され、側面視そり状に形成されたフレームを有し、該フレームの下面に下方に突き出して複数のピンを設けた第１のビーチクリーナーを、自走車両で牽引して砂浜の清掃領域を走行させ、該清掃領域中のゴミを前記ピンに引っ掛けてゴミ回収場所に搬送して回収する第１ゴミ回収工程と、枠体の前方に前端を砂上に接地し後方が高くなるように傾斜させた簀の子状のゴミ搬送部を設けると共に、前記枠体の後方にゴミ捕集部を設けた第２のビーチクリーナーを、自走車両で牽引して第１ゴミ回収工程を行った後の清掃領域を走行させ、ゴミを前記ゴミ搬送部で掬い上げて前記ゴミ捕集部に捕捉しゴミ回収場所に移動して回収する第２ゴミ回収工程と、前記第１のビーチクリーナーまたはそのフレームの下面にスクレーパを付加した第３のビーチクリーナーを、第１ゴミ回収工程での走行速度より高速で、第２ゴミ回収工程を行った後の清掃領域を自走車両で走行させて、前記ピンおよびスクレーパで掻き上げられてフレーム上に設置したゴミ捕捉網に捕捉されたゴミをゴミ回収場所に搬送して回収する第３ゴミ回収工程とを備えていることを特徴とする砂浜におけるゴミの回収方法。
【請求項２】
前記第３ゴミ回収工程においては、第１のビーチクリーナーのフレームから下方へのピンの突き出し長さを、前記第１ゴミ回収工程におけるものより短く調整することを特徴とする請求項１に記載の砂浜におけるゴミの回収方法。
【請求項３】
前記第１，２，３ゴミ回収工程の内の少なくとも１つのゴミ回収工程において、ビーチクリーナーを、前記清掃領域の縦横方向のうちの一方に往復して走行させてゴミの回収を終わった後に、他方に往復して走行させてゴミの回収をすることを特徴とする請求項１または２に記載の砂浜におけるゴミの回収方法。
【請求項４】
前記第１ゴミ回収工程において、前記ゴミ回収場所に移動してきた第１のビーチクリーナーを、そのピンが砂上より適宜高さ離間するように、ゴミ回収場所に設置したゴミ回収ステーションによって持ち上げることを特徴とする請求項１〜３に記載の砂浜におけるゴミの回収方法。
【発明の詳細な説明】
【０００１】
【発明の属する技術分野】
本発明は、海水浴場等の砂浜に散在する種々のゴミをビーチクリーナーによって回収する砂浜におけるゴミの回収方法に関するものである。
【０００２】
【従来の技術】
海水浴場等の砂浜には、漁網の断片、ビニール紐、紙屑、木片、空き缶、瓶、ペットボトルやそのキャップ、たばこの吸い殻等のゴミが散在している。これらのゴミを放置すると、砂浜の汚れが益々酷くなるばかりでなく、海水浴客が思わぬ怪我をするおそれもあるので、海水浴のシーズン始め等にビーチクリーナーによって砂浜のゴミを回収する清掃が行われる。
【０００３】
従来、ビーチクリーナーにより砂浜のゴミを回収する方法として、自走式の機体に、前方の掬機で砂上または砂中のゴミを砂と一緒に掬い、ベルトコンベヤで後方へ搬送する間にゴミと砂を分別して、砂を砂浜上に落とし、ゴミを後方に設けたかご等の中に回収する装置を一体化した形式のビーチクリーナーを使用し、該ビーチクリーナーを砂浜の清掃領域に一巡だけ走行させることにより、清掃を完了させようとするものが知られている（特開平３−１３８２０３号公報等）。
【０００４】
【発明が解決しようとする課題】
しかし、前記従来における砂浜のゴミを回収する方法は、一種類の自走式のビーチクリーナーにより、砂浜の砂上及び砂中における大小の各種ゴミを一緒にまとめて回収するため、回収装置にかかる負荷が大きくなり、ビーチクリーナーを低速で走行させねばならず、清掃時間が長くかかり能率的でないうえ、使用するビーチクリーナーの全体構造が複雑で大型化されているため、重量も嵩み、保守点検も複雑となり、それに要する時間も長くかかる。さらには、製作経費も高くなるばかりでなく、稼働率の低いビーチクリーナーにあって専用の高価な機械を使用するため、維持経費が嵩む問題もある。
【０００５】
本発明は、上記事情に鑑みてなされたものであって、砂浜に散在する種々のゴミを簡易型のビーチクリーナーで能率よく、綺麗に回収することができる砂浜におけるゴミの回収方法を提供することを目的とする。
【０００６】
【課題を解決するための手段】
本発明は、前記課題を解決するために、以下の点を特徴としている。
すなわち、請求項１に係る砂浜におけるゴミの回収方法は、平面視簀の子状に形成され、側面視そり状に形成されたフレームを有し、該フレームの下面に下方に突き出して複数のピンを設けた第１のビーチクリーナーを、自走車両で牽引して砂浜の清掃領域を走行させ、該清掃領域中のゴミを前記ピンに引っ掛けてゴミ回収場所に搬送して回収する第１ゴミ回収工程と、枠体の前方に前端を砂上に接地し後方が高くなるように傾斜させた簀の子状のゴミ搬送部を設けると共に、前記枠体の後方にゴミ捕集部を設けた第２のビーチクリーナーを、自走車両で牽引して第１ゴミ回収工程を行った後の清掃領域を走行させ、ゴミを前記ゴミ搬送部で掬い上げて前記ゴミ捕集部に捕捉しゴミ回収場所に搬送して回収する第２ゴミ回収工程と、前記第１のビーチクリーナーまたはそのフレームにスクレーパを付加した第３のビーチクリーナーを、第１ゴミ回収工程での移動速度より高速で、第２ゴミ回収工程を行った後の清掃領域を自走車両で走行させて、前記ピンおよびスクレーパで掻き上げられてフレーム上に設置されたゴミ捕捉網に捕捉されたゴミをゴミ回収場所に搬送して回収する第３ゴミ回収工程とを備えていることを特徴とする。
【０００７】
この砂浜におけるゴミの回収方法においては、第１ゴミ回収工程で、第１のビーチクリーナーが自走車両により牽引して走行され、砂浜の砂中深く挿入されるピンにより砂が掻き分けられて柔らかくされる共に、砂中、砂上に散在する紐状のもの、流木等の長尺物、石等のゴミがピンに引き掛けられてゴミ回収場所に搬送された後、ゴミ回収ステーションで第１のビーチクリーナーが持ち上げられて、前記ピンからゴミが砂上に落下されて回収される。
【０００８】
また、第２ゴミ回収工程で、第２のビーチクリーナーが自走車両により牽引して走行され、第１ゴミ回収工程で回収されなかった缶、瓶、ペットボトル、それらのキャップ、木片等のゴミが、第２のビーチクリーナーのゴミ搬送部で砂と一緒に掬い上げた砂を分離されてゴミ捕集部に捕捉され、ゴミ回収場所でゴミ捕集部から捕捉されたゴミが回収される。
【０００９】
さらに、第３ゴミ回収工程で、第１のビーチクリーナーまたはそのフレームにスクレーパを付加した第３のビーチクリーナーが、第１ゴミ回収工程の時より高速で走行され、第１のビーチクリーナーのピンによって、またはスクレーパを付加したビーチクリーナーにあっては、ピンとスクレーパによって砂が掬い、持ち上げられるのに伴って、跳ね上げられるたばこの吸い殻やその他の小さなゴミがフレーム上の捕捉網上に落下して捕集され、ゴミ回収場所で捕足網から捕集されたゴミが回収される。
【００１０】
この砂浜におけるゴミ回収方法によれば、２種類のビーチクリーナーの機能を使い分けて３つのゴミ回収工程で段階を追って実施するようにしたので、砂浜に散在するゴミの種類や大きさに応じてゴミが順次に適切に回収されると共に、ゴミ回収作業が迅速に行えてその作業効率が向上される。
【００１１】
請求項２に係る砂浜におけるゴミの回収方法は、請求項１に記載のゴミの回収方法において、第３ゴミ回収工程においては、第１ビーチクリーナーのフレームから下方へのピンの突き出し長さ、本数を、前記第１ゴミ回収工程におけるものより短く、少なく調整することを特徴とする。
この砂浜におけるゴミの回収方法では、砂浜の砂中に挿入されるピンの深さが浅くなるので、第１ビーチクリーナーは、砂による走行抵抗が小さくなり、高速で走行させることができる。
【００１２】
請求項３に係る砂浜におけるゴミの回収方法は、請求項１または２のいずれかに記載のゴミの回収方法において、第１，２，３ゴミ回収工程の内の少なくとも１つのゴミ回収工程において、ビーチクリーナーを、前記清掃領域の縦横方向のうちの一方に往復して走行させてゴミの回収を終わった後に、他方に往復して走行させてゴミの回収をすることを特徴とする。
この砂浜におけるゴミの回収方法では、ビーチクリーナーの一方への走行によって砂上に形成された走行溝が、ビーチクリーナー他方への走行によって埋められ整地された状態になると共に、ゴミの回収が一層良好に行われる。
【００１３】
請求項４に係る砂浜におけるゴミの回収方法は、請求項１〜３のいずれかに記載のゴミの回収方法において、第１ゴミ回収工程において、ゴミ回収場所に移動してきた第１のビーチクリーナーを、そのピンが砂上より適宜高さ離間するように、ゴミ回収場所に設置したゴミ回収ステーションによって持ち上げることを特徴とする。
この砂浜におけるゴミの回収方法では、ゴミ回収場所に移動された第１のビーチクリーナーがゴミ回収ステーションによって持ち上がられ、ピンに引き掛かった紐状のゴミが容易に砂上に落下するので、ゴミ回収場所で第１のビーチクリーナーを人手によって持ち上げる必要がなく、ゴミの回収が労力を掛けずに簡単、迅速に行える。
【００１４】
【発明の実施の形態】
以下、本発明の実施の形態に係る砂浜におけるゴミの回収方法について、添付図面にもとづいて説明する。
実施の形態に係る砂浜におけるゴミの回収方法は、第１のビーチクリーナーＡを、自走車両Ｒで牽引して砂浜の清掃領域Ｓを走行させ、該清掃領域Ｓ中のゴミをピン（レーキ）４に引っ掛けてゴミ回収場所Ｅに搬送して回収する第１ゴミ回収工程と、第２のビーチクリーナーＢを、自走車両Ｒで牽引して第１ゴミ回収工程を行った後の清掃領域Ｓを走行させ、ゴミをゴミ搬送部１５で掬い上げてゴミ捕集部１６に捕捉しゴミ回収場所Ｅに移動して回収する第２ゴミ回収工程と、前記第１のビーチクリーナーＡ、またはそのフレームにスクレーパを付加した第３のビーチクリーナーＡ１を、第１ゴミ回収工程での走行速度より高速で、第２ゴミ回収工程を行った後の清掃領域Ｓを自走車両Ｒで走行させて、前記ピンおよびスクレーパで掻き上げられてゴミ捕捉網８に捕捉されたゴミをゴミ回収場所Ｅに搬送して回収する第３ゴミ回収工程とを備えている。
前記第１ゴミ回収工程では、ゴミ回収場所Ｅで必要に応じて第１のビーチクリーナーＡがゴミ回収ステーションＣで持ち上げられる。
はじめに、前記各ゴミ回収工程で使用する第１、第２，第３のビーチクリーナーＡ，Ｂ，Ａ１およびゴミ回収ステーションＣについて説明する。
【００１５】
先ず、前記第１のビーチクリーナーＡは、図１〜図３に示すように、外枠１の内側に前後方向に延長された複数の縦部材２が適宜間隔をあけて固定されて、平面視で四角形の簀の子状に形成され、側面視で前後端側が端部に行くに従い高くなるように傾斜してそり状に形成されたフレーム３と、前記各縦部材２の水平状部２ａのほぼ全体にわたる下面に前後方向に適宜間隔をあけて固定され、隣り合う縦部材２同士で前後方向の位相がずらされ平面視で千鳥形に配置されている複数のピン（レーキ）４と、前記外枠１の各縦枠材１ａ，１ａに該縦枠材１ａ，１ａの外側に突き出して設けた前後一対の係合部材６と、前記フレーム３の後端側に回転軸７ａの周りに固定され、各縦部材２の間で自由に回転する複数の羽根を有する回転羽根７とを備えている。
【００１６】
そして、前記ピン４は、その下方への突き出し長さを適宜に調整できるようになっている。また、幅方向両側寄りの一対の縦部材２，２の前側位置に、鞍乗り型の四輪車（自走車両）Ｒに連結されたチェーン、ワイヤ等の索条部材Ｊを係止する係止具９が固着されている。また、前記各縦部材２，２の間隔は空き缶が通過する程度の大きさに設定されている。前記フレーム３の上面に取外し自在にゴミ捕捉網８を載置することができる。
前記第１のビーチクリーナーＡに代る第３のビーチクリーナーＡ１として、図９に示すように、第１のビーチクリーナーＡの回転羽根７を省略すると共に、前記ピン４を、水平状部２ａの前後方向における中央部の幅方向に沿う１列のみまたは中央部と後端部の２列のみを残し、その他のものを省略してその本数を少なくし、また、前記中央部（前側）のピン４の後側に位置し前側を下に傾斜させたスクレーパ５（図１、図３の鎖線も参照）を、前記フレーム３における外枠１の両側の縦枠材１ａ，１ａと縦部材２に直交して、それらに付加して設けると共に、前記スクレーパ５の直ぐ後方からフレーム３の後部にかけて、該フレーム３の上面に取外し自在にゴミ捕捉網８を載置した構成のものも用意される。この場合、前記ピン４は隣接する縦部材２，２同士間で前後に位相をずらさずに一直線状に配列される。
なお、説明において用いる前後、幅方向は、それぞれ、ビーチクリーナーＡ，Ｂ，Ａ１の走行方向における前後、走行方向に直角な方向を意味する。
【００１７】
次に、ゴミ回収ステーションＣは、図４，図５に示すように、下端に円形ないしは四角形の平板等からなるフート１０を固定して設けた一対の支柱１１，１１と、該支柱１１，１１の上端に固定された案内部材１２とを備えた一対のステーション部材１３，１３が、前記案内部材１２，１２を平行にした状態とされ、前記支柱１１，１１をフート１０を介してゴミ回収場所Ｅの砂上にまたは砂中に直立して接地されて構成されている。
【００１８】
そして、前記案内部材１２，１２は、その長手方向の中間部が水平状部１２ａ，１２ａとして形成され、その前後端部側が下方に鈍角に折曲されて傾斜した傾斜部１２ｂ，１２ｃとして形成されている。各案内部材１２，１２の間隔Ｄは、第１のビーチクリーナーＡ，Ａ１のフレーム３や走行車両Ｒのの幅より大きく、かつ、係合部材６，６に係合する大きさに設定されている。前記案内部材１２の水平状部１２ａは、そこにビーチクリーナーＡ，Ａ１が乗り上がったとき、ビーチクリーナーＡ，Ａ１のピン４が砂上面Ｆから十分に離れる高さ位置に設定されている。
【００１９】
また、前記第２のビーチクリーナーＢは、前側を下にして傾斜し前端に爪部材１５ｃを設けたゴミ搬送部１５と、該搬送部１５の後方に位置されたゴミ捕集部１６と、前記搬送部１５の上方に動力（エンジン）１７で回転する前後２列のロータ（掻き上げ羽根）１８とを、四隅部を接地部１９ａ，１９ｂを有する脚柱１９によって接地される平面視で四角形の枠体２０に支持して構成されている。
【００２０】
そして、前記ゴミ搬送部１５とゴミ捕集部１６は、それらの底部１５ａ，１６ａ、両側壁１５ｂ，１６ｂが複数の棒状部材を前後方向に向け互いに適宜間隔（約２０ｍｍ）をあけて配列された簀の子状部材により、上方と前方を開放した箱形に形成され、前記底部１５ａ，１６ａが砂上面Ｆより所定高さ離間するようになっている。ゴミ捕集部１６は、簀の子状部材の外側に網部材２１を沿わせて構成されており、その後方には下端に砂上面を均すゴム板等の弾性部材２２を付けた簀の子状部材で後壁２３が形成されている。該後壁２３の簀の子状部材は、棒状部材が上下方向に向けて形成され、相互間の間隔は前記と同様に約２０ｍｍに設定されている。
【００２１】
また、前記爪部材１５ｃは、前記ゴミ搬送部１５の簀の子状部材における各棒状部材の前端に、それらより下方への傾斜を大きくして結合された棒状部材で形成されている。
前記脚部１９は、その前側の接地部１９ａがスキー状部材で形成され、後側の接地部１９ｂがキャスタで形成され、それぞれ上下方向に高さが多段に調整できるようになっている。前側の両接地部１９ａ，１９ｂには、自走車両Ｒに連結されたチェーン、ワイヤー等の索条部材Ｊを係止するフック等の係止具２４が固定されている。
【００２２】
次に、前記構成のビーチクリーナーＡ，Ｂ，Ａ１とゴミ回収ステーションＣを使用して砂浜に散在するゴミの回収する方法を具体的に説明する。
砂浜の清掃にあたっては、先ず、図１０に示すように、砂浜の清掃領域Ｓの適当なゴミ回収場所Ｅに、一対のステーション部材１１，１１の間隔をビーチクリーナーＡの幅に対応して定めて、ゴミ回収ステーションＣを設置する。
そして、第１のビーチクリーナーＡを自走車両Ｒに索条部材Ｊで連結し、清掃領域Ｓの清掃開始地点ｓ１に牽引して移動させた後、第１ゴミ回収工程による砂浜のゴミの回収を開始する。
【００２３】
第１ゴミ回収工程では、第１のビーチクリーナーＡのピン４の下方への突き出し長さを長く調整しておき、自走車両Ｒにより第１のビーチクリーナーＡを牽引して１０〜１５ｋｍ／ｈの速度で、縦方向イとこれに直角な横方向ロのうちの一方向、例えば縦方向イの走路ａを往復して走行させる。このとき、第１のビーチクリーナーＡのピン４が砂浜の砂中に深く挿入され、該ピン４により砂が掻き分けられて柔らかくされ、かつ砂中に埋もれているゴミが堀起こされると共に、砂中、砂上にある紐状のもの、流木等の長尺物、石等のゴミＧ１がピン４に引き掛けられて、第１のビーチクリーナーＡと一緒に移動される。第１のビーチクリーナーＡが走路ａの終端まで至ったところで、第１のビーチクリーナーＡをゴミ回収場所Ｅまで移動させる。
【００２４】
そして、ゴミ回収ステーションＣの一対のステーション部材１１，１１の間を自走車両Ｒを低速で通過させると、第１のビーチクリーナーＡが案内部材１４に沿って砂上面Ｆから持ち上げられるので、水平状に持ち上げられたところで一旦その移動を止める（図４参照）。この間に、前記ピン４に引き掛かっていたゴミが砂上に自然に落下される。落下したゴミは適宜に集合して回収する。ピン４に絡みついて自然落下しないゴミがあれば、適宜用具を用いて簡単に掻き落とすことができる。
【００２５】
第１のビーチクリーナーＡを縦方向イの走路ａを走行させてゴミの回収が終わった後は、横方向ロの清掃開始地点ｓ２に第１のビーチクリーナーＡを着け、そこから走路ｂを往復して走行させ、前記と同様にしてゴミの回収を行う。
縦方向イと横方向ロに第１のビーチクリーナーＡを走行させると、最初に砂上面Ｆに付けられたの前記ピン４による溝跡が後の走行によって埋められ、砂上面Ｆが整地された状態となる。
なお、第１のビーチクリーナーＡは、縦方向イと横方向ロにおける走路ａ，ｂで往復して走行する際、その折り返し部で清掃の終わっていない側へ横方向するが、その場合の往路と復路との間の距離（ピッチ）は、砂浜の清掃し残しの部分がないようにするため、第１のビーチクリーナーＡの幅に略等しくするのがよい。
【００２６】
前記のようにして第１ゴミ回収工程が終了したなら、第２のビーチクリーナーＢによる第２ゴミ回収工程を開始する。
第２ゴミ回収工程では、第２のビーチクリーナーＢを清掃開始地点ｓ３に着け、そこから自走車両Ｒにより牽引して縦方向イの走路ａを往復して走行させる。このとき、第２のビーチクリーナーＢにおけるゴミ搬送部１５の前方の爪部材１５ｃが砂中に入って、第１ゴミ回収工程で回収されなかった缶、瓶、ペットボトル、小石木片等のゴミＧ２を、砂と一緒に掬い上げ、ゴミ搬送部１５の底部１５ａに乗り上げさせる。この底部１５ａに乗り上がったたゴミは、ロータ１８によって後方に移送されながら、底部１５ａの簀の子状部材の隙間から落下する砂を分離されてゴミ捕集部１６に捕捉される（図７参照）。
【００２７】
第２のビーチクリーナーＢが縦方向イの走路ａの終端まで走行したところで、ゴミ回収場所Ｅに移動させてゴミ捕集部から捕捉されたゴミを回収する。第２のビーチクリーナーＢを縦方向イの走路ａを走行させてゴミの回収が終わった後は、横方向ロの清掃開始地点ｓ４に第２のビーチクリーナーＢを着け、そこから走路ｂを往復して走行させ、前記と同様にしてゴミの回収を行う。
【００２８】
前記のようにして第２ゴミ回収工程が終了したなら、第１のビーチクリーナーＡまたは第３のビーチクリーナーＡ１による第３ゴミ回収工程を開始する。
第３ゴミ回収工程で、第１のビーチクリーナーＡのピン４の下方への突き出し長さを、第１ゴミ回収工程の時より短く調整すると共に、フレーム３上にゴミ捕集網８を載置しておき、第１ゴミ回収工程の時より高速の３０〜３５ｋｍ／ｈで第１のビーチクリーナーＡを自走車両Ｒにより牽引して、第１ゴミ回収工程の時と同様に縦方向イ、横方向ロの走路ａ，ｂを走行させる。また、第１のビーチクリーナーＡに代えて第３のビーチクリーナーＡ１を使用し、そのピン４の長さを第１のビーチクリーナーＡと同様な長さに調整し、同様に走行させてもよい。
【００２９】
この高速走行により、第１のビーチクリーナーＡは前記ピン４によって、また、第３のビーチクリーナーＡ１はピン４（主体として作用）とスクレーパ５によって砂が掬くわれて持ち上げられるのに伴って、跳ね上げられるたばこの吸い殻、瓶やペットボトルのキャップ、その他の小さなゴミＧ３が、フレーム３上のゴミ捕捉網８上に落下して捕集されるので、ゴミ回収場所Ｅでゴミ捕足網８から捕集されたゴミを回収する（図９参照）。この第３ゴミ回収工程でも第１のビーチクリーナーＡまたは第３のビーチクリーナーのピン４にゴミが引き掛かっている場合には、第１のゴミ回収工程の時と同様に、ゴミ回収ステーションＣで第１のビーチクリーナーＡまたは第３のビーチクリーナーＡ１を持ち上げるようにしてもよい。
【００３０】
この砂浜におけるゴミの回収方法によれば、第１，第２，第３のビーチクリーナーＡ，Ｂ，Ａ１の機能を使い分けて第１，第２，第３ゴミ回収工程によって、砂浜の清掃領域Ｓにおけるゴミの回収を段階を追って実施するようにしたので、砂浜に散在するゴミの種類や大きさに応じてゴミが順次に適切に回収されると共に、ゴミの回収作業が迅速に行えてその作業効率が向上される。
しかも、各ビーチクリーナーＡ，Ｂ，Ａ１は、全体機構が簡単で小型化されているため、故障が少なく、保守点検が容易であり、また、走行車両Ｒがゴミの回収装置と一体化されていないので、各ビーチクリーナーＡ，Ｂ，Ａ１を使用しない期間中は、走行車両Ｒは他に活用されるため、全体として稼働率の向上が図られ、維持経費が安価に済む。
【００３１】
なお、前記の実施の形態においては、各ゴミ回収工程において、縦方向イ、横方向ロの走路ａ，ｂの終端に至ってから第１，第２，第３のビーチクリーナーＡ，Ｂ，Ａ１をゴミ回収場所Ｅに移動させ、それらに捕集されたゴミを回収するようにしたが、これに限らず、走路のａ，ｂの途中において、捕集されたゴミの量に応じて適時にゴミ回収場所Ｅに移動させてゴミを回収した後、走路の続きを引き続いて走行させるようにしてもよい。
また、各ゴミ回収工程を一巡してゴミの回収を終了するようにしたが、各ゴミ回収工程は、それぞれ、必要に応じて複数回実施してもよく、特定のゴミ回収工程のみを複数回実施してもよく、ゴミ回収工程の実施回収は特に制限はない。
【００３２】
また、各ゴミ回収工程では、第１，第２，第３のビーチクリーナーＡ，Ｂ，Ａ１を縦方向イとこれに直角な横方向ロの両走路ａ，ｂに走行させるようにしたので、一方向への走行によって形成されたビーチクリーナーの走行溝が他方向への走行によって埋められて砂浜が整地されたような状態になるので、砂浜の砂上面Ｆが綺麗になって好ましいが、走行路の方向は、前記に限らず、他の２方向であってもよく、いずれか一方向のみであってもよい。
また、前記においては、３つのゴミ回収工程を第１，第２，第３の順に実施したが、これに限らず、必要に応じて、１つ以上のゴミ回収工程を適宜に選択して実施することもできる。その際、第３のゴミ回収工程を最後にするのが好ましい。この場合においても、従来のゴミ回収装置と自走車両を一体化した大型機械では不可能な選択高効率作業が可能である。
【００３３】
【発明の効果】
以上説明したように、本発明によれば以下の優れた効果を奏する。
請求項１に係る砂浜におけるゴミの回収方法によれば、２種類のビーチクリーナーの機能を使い分けて３つのゴミ回収工程で段階を追って実施するようにしたので、砂浜に散在するゴミの種類や大きさに応じてゴミを順次に適切に回収することができると共に、ゴミ回収作業を迅速に行うことができて、その作業効率を向上させることができる。
しかも、各ビーチクリーナーは、全体機構が簡単で小型化されているため、故障が少なく、保守点検を容易に行うことができ、また、走行車両がゴミの回収装置と一体化されていないので、各ビーチクリーナーを使用しない期間中は、走行車両を他に活用することができるため、全体として稼働率の向上を図ることができ、維持経費を安価にすることができる。
【００３４】
請求項２に係る砂浜におけるゴミの回収方法によれば、砂浜の砂中に挿入されるレーキの深さを浅くなり、第１ビーチクリーナーを、砂による移動抵抗を小さくして、高速で移動させることができるので、能率の良いゴミの回収作業を行うことができる。
【００３５】
請求項３に係る砂浜におけるゴミの回収方法によれば、ビーチクリーナーの一方への移動によって砂上に形成された走行溝を、ビーチクリーナー他方への移動によって埋められ整地された状態にすることができると共に、ゴミの回収を一層良好に行うことができる。
【００３６】
請求項４に係る砂浜におけるゴミの回収方法によれば、ゴミ回収場所に移動された第１のビーチクリーナーをゴミ回収ステーションによって持ち上げて、レーキに引き掛かった紐状等のゴミを容易に砂上に落下させることができるので、ゴミ回収場所で第１のビーチクリーナーを人手によって持ち上げる必要がなく、ゴミの回収を労力を掛けずに簡単、迅速に行うことができる。
【図面の簡単な説明】
【図１】本発明の一実施の形態に係る砂浜におけるゴミの回収方法の実施に使用する第１のビーチクリーナーの平面図である。
【図２】同じく側面図である。
【図３】図１のＸ矢視図である。
【図４】ゴミ回収ステーションの側面図である。
【図５】同じく平面図である。
【図６】本発明の一実施の形態に係る砂浜におけるゴミの回収方法の実施に使用する第２のビーチクリーナーの平面図である。
【図７】同じく側面図である。
【図８】図７のＹ矢視図である。
【図９】第３のビーチクリーナーによる第３ゴミ回収工程の説明図である。
【図１０】砂浜の清掃領域におけるビーチクリーナーの走行経路の説明図である。
【符号の説明】
１  外枠                            ２  縦部材
３  フレーム                        ４  ピン（レーキ）
５  スクレーパ                      ８  ゴミ捕集網
１１  支柱                          １２  案内部材
１３  ステーション部材              １５  ゴミ捕集部
１５ａ  爪部材                      １６  ゴミ捕集部
１８  ロータ（掻き上げ羽根）        １９  脚柱
１９ａ  接地部                      ２０  枠体
Ａ，Ｂ，Ａ１  第１，第２，第３のビーチクリーナー
Ｃ  ゴミ回収ステーション
Ｅ  ゴミ回収場所
Ｓ  清掃領域
ａ，ｂ  走行路
【図１】
0003623438.tif 000002
【図２】
0003623438.tif 000003
【図３】
0003623438.tif 000004
【図４】
0003623438.tif 000005
【図５】
0003623438.tif 000006
【図６】
0003623438.tif 000007
【図７】
0003623438.tif 000008
【図８】
0003623438.tif 000009
【図９】
0003623438.tif 000010
【図１０】
0003623438.tif 000011